(57)【特許請求の範囲】
【請求項１】
伸度が縦方向と横方向とで同等になっているベース組織と、縦方向の伸度が横方向の伸度より極端に低い縦伸び抑制組織とからなる筒編地の膨ら脛用サポータであって、前記縦伸び抑制組織は、前記ベース組織に、背面のアキレス腱から下腿三頭筋の左右側面を通り、腓腹筋の内側頭の内側と外側頭の外側に至る左右２か所で囲まれた膨ら脛部位周縁にＶ字形を形成してなり、カットボス編と、タック編または浮き編との合成組織を編成してなることを特徴とした膨ら脛用サポータ。
【請求項２】
伸度が縦方向と横方向とで同等になっているベース組織と縦方向の伸度が横方向の伸度より極端に低い縦伸び抑制組織とからなる筒編地の膨ら脛用サポータの製造方法であって、前記縦伸び抑制組織は、前記ベース組織に、背面のアキレス腱から下腿三頭筋の左右側面を通り、腓腹筋の内側頭の内側と外側頭の外側に至る左右２か所で囲まれた膨ら脛部位周縁にＶ字形を形成してなり、部分添え糸編の添え糸を両端で切断したカットボス編と、一時編針から編目を脱出させず次の給糸で同時に編目を形成させたタック編、または特定の針を不動作位置に置いて編糸を供給しない浮き編との合成組織を編成してなることを特徴とする膨ら脛用サポータの製造方法。
【請求項３】
前記合成組織が、カットボス編と１回タック編と挿入編とからなる請求項１記載の膨ら脛用サポータ。
【請求項４】
前記合成組織が、カットボス編と２目浮き編と部分挿入編とからなる請求項１または２記載の膨ら脛用サポータ。
【請求項５】
前記合成組織が、カットボス編と１回タック編と１目浮き編と部分挿入編とからなる請求項１または２記載の膨ら脛用サポータ。
【請求項６】
前記合成組織が、カットボス編と３目浮き編とからなる請求項１または２記載の膨ら脛用サポータ。
【請求項７】
前記合成組織が、カットボス編と２回タック編と１目浮き編とからなる請求項１または２記載の膨ら脛用サポータ。
【請求項８】
前記カットボス編の補強糸が、タック編または浮き編形成の編糸に、部分添え糸編してなる請求項１または請求項２記載の膨ら脛用サポータ。
【請求項９】
前記タック編または浮き編を、１ウェールおきに形成した請求項３ないし請求項７のいずれかに記載の膨ら脛用サポータ。
【請求項１０】
サポータ背面の膨ら脛部位周縁に形成した縦伸び抑制組織のＶ字形が、縦両端１９ｃｍ、横両端１３ｃｍで、３ｃｍ幅の形状からなる請求項１または請求項２記載の膨ら脛用サポータ。
【請求項１１】
前記Ｖ字形の縦方向の編地が、グラブ法の引張試験で、２ＮＫｇの荷重時における伸度が１２％以下の縦伸び抑制組織である請求項１または請求項２記載の膨ら脛用サポータ。
【発明の詳細な説明】
【技術分野】
【０００１】  本発明は、膨ら脛サポータとその製造方法に係り、更に詳しくは、ガードル、ソックス、ストッキング、及びタイツ類の膨ら脛サポータとその製造方法に関するものである。
【背景技術】
【０００２】  従来からキネシオ（株）製のテープに代表されるメカニカルな筋肉テーピングは、各種運動を行なう際の、障害の予防と治療に便ならしめるものとして、例えば特許文献１に示すように公知である。しかしながら、このようなテーピングは、貼着時の伸張度合いに左右されるため熟練度が要求され、また皮膚組織に密着させるため自由度が阻害されて、血行障害を起こし易かった。【特許文献１】特開平１１−１７８９７２号公報
【０００３】  また、スポーツ用や介護用の圧迫型膝サポータは、特許文献２に示すように、アタッチメントや締付具で締め付けるために、強く締め付けすぎると、膝の後部が痛くて屈曲しにくくなり、気楽に着脱しうるものとはなっていなかった。【特許文献２】特開２００３−７３９１３号公報
【０００４】  この点、それなりの圧迫感が得られ、日常生活の中で気楽に着脱しうるものとしての提案も、各種のものが示されている。しかし、上下に締付け部分を有するものでは、やはり着脱が困難である。また膝頭が開口されているものでは、膝頭をサポートすることができない。そして特許文献３は、Ｘ字型の襷掛けを有するものであるが、樹脂の含浸で構成されているため、圧迫力の弱いものとなっている。一方、サポータ付きのガードルも各種提案されている。しかし、その構成や医学的な効果が明確なものはみあたらない。【特許文献３】特開２００３−５２７２７号公報
【０００５】  下腿部用のサポータに求められる条件の１つは、着用して長時間運動を行なった際の、筋肉の疲労度の軽減である。その点、人体の部位を特定し、その特定部位に効果のある下腿部用のサポータとして、特許文献４の先行技術がある。これは、その特定部位にハードな伸縮特性を持つ伸縮性布地からなる強面状部片を配したものである。【特許文献４】特許第２６０３７６９号公報
【０００６】  この特許文献４の特定部位とは、腓腹筋の両サイドを通り、ヒラメ筋ならびにアキレス腱の一部としている。しかし、筋肉疲労は腱に生ずるのではなく、主として神経や血管に接触する各種の筋肉部分に発生する。また、サポータが圧接しなければならない境界部位は、中間層のヒラメ筋ではなく、主に浅層の内側頭と外側頭であって、この点をより明確に限定する必要がある。【０００７】  また特許文献４には、成型編みによる記載はある。しかし強面状部片は、伸縮性布地としている。そして具体的には、伸縮性布地からなる強面状部片を、サポータに裏打ち縫合するという製造例しか開示していない。そして、この伸縮性布地なるものは、縦方向と横方向で伸縮度に差異があるのか否かには触れられず、また一工程で製造しうる方法についても開示していない。【０００８】  一方、本発明の出願人等は、一工程で製造した膨ら脛用サポータを、特許文献５として先に出願した。特許文献５は、膨ら脛部位にＸ襷状の補強部片を設け、その補強部片を部分添え糸編組織の補強糸にて、両端切断のカットボス編組織によって、Ｘ形状を一工程で製造したものであった。【特許文献５】特開２００２−２６６１２５号公報
【０００９】  しかしその後の研究で、下腿筋肉の疲労度軽減用の膨ら脛サポータとしては、特に縦伸び抑制組織のものであることが好ましく、そのためには、カットボス編組織に、浮き編またはタック編組織を組み合わすのが好ましいことが分かったので、本発明に至った次第である。この挿入編に、浮き編組織を組み合わした先行技術としては、特許文献６がある。また挿入編に、タック編組織を組み合わした先行技術としては、特許文献７がある。【特許文献６】登録実用新案第３０３９０９９号公報
【特許文献７】登録実用新案第３０４６５１１号公報
【００１０】  特許文献６は、本発明の出願人のもので、キャミソール型のブラジャに関し、バストアップ機能を付与させるために、挿入編に浮き編組織を組み合わしたものである。また特許文献７は、靴下のずり落ち防止のため、挿入編にタック編組織を組み合わしたものであり、そのために一部分ではなく、筒編地全周に構成している。従って、浮き編またはタック編組織に、部分的なカットボス編組織を組合した先行技術は見当たらない。【００１１】この種の膨ら脛サポータは、立ち仕事で膨ら脛に浮腫を生ずる人に、またハイヒールを履いて足に負担のかかる婦人にとって、さらに運動による下腿筋肉の疲労等を軽減させるために、必要とされるものである。しかしサポータが、全体を挿入糸によって、単に垂直方向の圧迫力を加えるだけの従来の締付具では、筋収縮が反って妨げられるだけで、筋肉疲労の軽減には寄与しない。即ち、理想的な膨ら脛サポータは、人体の伸縮する筋肉部位に対応した体表面を効果的に圧接するものであって、しかも筋肉の動きを阻害せずにテーピング機能を果たし、合わせてストレツチ効果やマッサージ効果を有するものであることが望まれる。
【発明の開示】
【発明が解決しようとする課題】
【００１２】  上記の事情に鑑み、本発明は、筋肉の動きを阻害することなく、テーピング機能を果たし、合わせてストレツチ効果やマッサージ効果によって、筋肉の疲労を軽減させることのできる膨ら脛用サポータの提供を課題とする。
【課題を解決するための手段】
【００１３】本発明は、上記目的を達成するために、伸度が縦方向と横方向とで同等になっているベース組織と、縦方向の伸度が横方向の伸度より極端に低い縦伸び抑制組織とからなる筒編地の膨ら脛用サポータであって、前記縦伸び抑制組織は、前記ベース組織に、背面のアキレス腱から下腿三頭筋の左右側面を通り、腓腹筋の内側頭の内側と外側頭の外側に至る左右２か所で囲まれた膨ら脛部位周縁にＶ字形を形成してなり、カットボス編と、タック編または浮き編との合成組織を編成してなる膨ら脛用サポータを構成するものである。【００１４】また、本発明は、上記目的を達成するために、伸度が縦方向と横方向とで同等になっているベース組織と縦方向の伸度が横方向の伸度より極端に低い縦伸び抑制組織とからなる筒編地の膨ら脛用サポータの製造方法であって、前記縦伸び抑制組織は、前記ベース組織に、背面のアキレス腱から下腿三頭筋の左右側面を通り、腓腹筋の内側頭の内側と外側頭の外側に至る左右２か所で囲まれた膨ら脛部位周縁にＶ字形を形成してなり、部分添え糸編の添え糸を両端で切断したカットボス編と、一時編針から編目を脱出させず次の給糸で同時に編目を形成させたタック編、または特定の針を不動作位置に置いて編糸を供給しない浮き編との合成組織を編成してなる膨ら脛用サポータの製造方法を構成するものである。
【発明の効果】
【００１５】  本発明の膨ら脛用サポータは、運動時に着用しても、下腿の屈伸運動を阻害することなくテ−ピング機能を果たし、合わせてストレツチ効果やマッサ−ジ効果を有して、筋肉の疲労を軽減させることができる。【００１６】  本発明の膨ら脛用サポータは、これを着用すれば、人間特有の立脚による膨ら脛の浮腫を、解消させることができる。【００１７】  本発明の膨ら脛用サポータは、これを着用すれば、婦人のハイヒ−ルを履くことによる足への負担を、軽減させることができる。【００１８】  本発明の膨ら脛用サポータは、締付具がないので、強く締めすぎることはない。【００１９】  本発明の膨ら脛用サポータは、一工程で製造することができるので、簡単に、また安価に製造することができる。
【発明を実施するための最良の形態】
【００２０】  以下、本発明の実施例を図面に基づいて詳しく説明する。
【実施例１】
【００２１】ポータを着用した人体の下腿を示し、（イ）は背面図、（ロ）は側面図である。図２は、本発明のレガ−ドの例で、（イ）は背面図、（ロ）は側面図、（ハ）は着用した状態の背面からみた斜視図である。図３は、本発明の靴下の例で、（イ）は背面図、（ロ）は側面図である。図４は、歩行時の人体の下腿を示し、（イ）は踵を地につけた時の側面図、（ロ）は足底をつけた時の側面図、（ハ）は爪先で蹴り出した時の側面図である。図５は、縦伸び抑制組織が挿入編・カットボス編・１回タック編の合成組織からなる例とそのベース組織の例を示す組織図である。【００２２】  本発明の膨ら脛用サポータ１は、図１に示すように、人体の下腿２をサポートするために着用される。人体の下腿２は背面に、膨ら脛部位３を有する。本発明でいう膨ら脛部位３とは、中間層のアキレス腱４から、下腿三頭筋５の左右側面を通り、浅層の腓腹筋６の一部である内側頭７の内側と、同じく浅層の腓腹筋６の一部である外側頭８の外側に至る左右２か所で囲まれた部位である。ここで内側頭７の内側とは、右足なら内側頭７の左内側という意味であり、左足なら内側頭７の右内側という意味である。同様に外側頭８の外側とは、右足なら外側頭８の右外側という意味であり、左足なら外側頭８の左外側という意味である。【００２３】  図２は、レガードからなる本発明の膨ら脛用サポータ１１で、筒編地にて構成されている。図３は、ソックスからなる本発明の膨ら脛用サポータ２１で、同じく筒編地にて構成されている。本発明の膨ら脛用サポータは、この他にもストッキングやタイツ等の下腿部分にも締付組織として適用される。【００２４】  膨ら脛用サポータ１１，２１は、背面の膨ら脛部位１３，２３周縁に、Ｖ字形の縦伸び抑制組織Ｓ，Ｓ´を形成している。縦伸び抑制組織Ｓ，Ｓ´のＶ字形の起点は、レガ−ド１１の場合には足首部からであり、ソックス２１の場合には踵部からとなっている。【００２５】  図４は、歩行時の人体の下腿の動く状態を示したものである。（イ）の踵を地につけた時は、膨ら脛部位３３はアキレス腱３４によって引っ張られ、一番膨らんだ状態になっている。次の（ロ）の足底をつけた時には、膨ら脛部位４３は弛んだ状態になっている。そして（ハ）の爪先で蹴り出した時には、膨ら脛部位５３はアキレス腱５４によって引っ張られた状態になっている。このように、人体は歩行の運動時、膨ら脛部位３３，４３，５３は、伸張と収縮を繰り返す。そのため筋肉疲労は、膨ら脛部位３３，４３，５３の、主として浅層の内側頭と外側頭からなる腓腹筋に発生する。【００２６】  図５は、本発明の一実施例を示す縦伸び抑制組織とそのベース組織の例を示す組織図である。本発明の縦伸び抑制組織は、浮き編とカットボス編の合成組織からなっているが、本実施例の場合の縦伸び抑制組織は、挿入編・カットボス編・１回タック編の合成組織からなっている。【００２７】  図５の右半分の組織が、その縦伸び抑制組織Ｓ１であるが、左半分の組織は、そのベ−ス組織Ｂ１の例を示している。先ずベ−ス組織Ｂ１の組織は、次のように編成している。コ−スＣ１では、２０〜７０デシテックスのナイロン双糸からなるプレイン（平編）の編糸Ｙ１と、芯糸４０〜２１０デシテッ��スのポリウレタンに、１０〜４０デシテックスのナイロンをダブルカバリング（ＤＣＹ）した挿入糸Ｙ２を１ウェールおきに編地の間に挿入した挿入編（レイーイン）ＲＩ１にしている。コ−スＣ２では、芯糸４０〜２１０デシテックスのポリウレタンに、２０〜７０デシテックスのナイロンをシングルカバリング（ＳＣＹ）した編糸Ｙ３と、芯糸４０〜２１０デシテックスのポリウレタンに、１０〜４０デシテックスのナイロンをダブルカバリング（ＤＣＹ）した挿入糸Ｙ４を１ウェールおきに挿入している。ここでデシテックスとは、例えば１０〜４０デシテックスの場合、１０デニール×４フィラメントのことである。【００２８】  そして縦伸び抑制組織Ｓ１の方は、次のような編成になっている。ウェ−ルＷ１のコ−スＣ１では、２０〜７０デシテックスのナイロン双糸からなるプレイン（平編）の編糸Ｙ１に、２０〜７０デシテックスのナイロン双糸からなるカットボス糸Ｙ５を部分プレーティング（部分添え糸編）して両端で切断Ｃｔ１したカットボス編ＣＢ１にするとともに、芯糸４０〜２１０デシテックスのポリウレタンに、１０〜４０デシテックスのナイロンをダブルカバリング（ＤＣＹ）した挿入糸Ｙ２を１ウェールおきに編地の間に挿入している。そしてウェールＷ１のコースＣ２では、芯糸４０〜２１０デシテックスのポリウレタンに、２０〜７０デシテックスのナイロンをシングルカバリング（ＳＣＹ）した編糸Ｙ３と、芯糸４０〜２１０デシテックスのポリウレタンに、１０〜４０デシテックスのナイロンをダブルカバリング（ＤＣＹ）した挿入糸Ｙ４を１ウェールおきに編地の間に挿入した挿入している。本発明でいう部分添え糸編とは、添え糸が両端で切断されたカットボス編にしているからである。なおカットボス糸Ｙ５の切断Ｃｔ１は、縦伸び抑制組織Ｓ１の両端で行なっている。【００２９】またウェールＷ２のコ−スＣ１では、２０〜７０デシテックスのナイロン双糸からなる編糸Ｙ１に、２０〜７０デシテックスのナイロン双糸からなるカットボス糸Ｙ５を部分プレーティング（部分添え糸編）して両端で切断Ｃｔ１したカットボス編ＣＢ１にするとともに、芯糸４０〜２１０デシテックスのポリウレタンに、１０〜４０デシテックスのナイロンをダブルカバリング（ＤＣＹ）した挿入糸Ｙ２を１ウェールおきに編地の間に挿入している。そして編糸Ｙ１とカットボス糸Ｙ５は、コースＣ２を編成する時には、一時編目を作らないで、次のコースＣ３を編む時に一緒に編目を作り、編針から編目を脱出させないで前の編目とともに保持し、次の給糸により編目を形成する時に同時に２つの編目をくぐって編糸を引き出し新しい編目を作る１回タックのタック編ＴＣ１にしている。即ちコースＣ１の糸は、コースＣ２では編成されない。本発明でいう１回タックとは、１コース飛ばしてタックすることである。しかし、この時コースＣ２の挿入糸Ｙ４は、コースＣ３へ一緒に編成されるが、編糸Ｙ３の方はタックされず編目も作らないでコースＣ２に止まる。なおカットボス糸Ｙ５は、先に述べたように、縦伸び抑制組織Ｓ１の両端で切断Ｃｔ１されて、Ｖ字形を形成する。【００３０】  本実施例の場合、編糸Ｙ１が２０〜７０デシテックスのナイロン双糸であるのに対し、編糸Ｙ３が��糸４０〜２１０デシテックスのポリウレタンに、２０〜７０デシテックスのナイロンをシングルカバリング（ＳＣＹ）した糸を使用しているのは、編糸Ｙ１がタックに使用されるため、より縦伸びを抑制しうるようにしたためである。このようにして、縦伸び抑制組織Ｓ１は、カットボス編とタック編の合成によって、伸びを極端に抑制するようになっている。
【実施例２】
【００３１】  図６は、本発明の別の実施例を示す縦伸び抑制組織とそのベ−ス組織の例を示す組織図である。本発明の縦伸び抑制組織は、浮き編とカットボス編の合成組織からなっているが、本実施例の場合の縦伸び抑制組織は、部分挿入編・カットボス編・２目浮き編挿入編の合成組織からなっている。【００３２】  図６の右半分の組織が、その縦伸び抑制組織Ｓ２であるが、左半分の組織は、そのベ−ス組織Ｂ２の例を示している。先ずベ−ス組織Ｂ２の組織は、次のように編成している。コ−スＣ１１では、２０〜７０デシテックスのナイロン双糸からなるプレイン（平編）の編糸Ｙ１１と、芯糸４０〜２１０デシテックスのポリウレタンに、１０〜４０デシテックスのナイロンをダブルカバリング（ＤＣＹ）した挿入糸Ｙ１２を１ウェールおきに編地の間に部分挿入した挿入編（レイ−イン）ＲＩ２にしている。本発明でいう部分挿入とは、次のコースＣ１２とその次のコースＣ１３には、挿入糸を挿入していないからである。即ちコースＣ１２とコースＣ１３では、２０〜７０デシテックスのナイロン双糸からなるプレイン（平編）の編糸Ｙ１３とＹ１４だけの編成となっている。しかし本実施例でのウェールＷ１１では、上部のリピートが完全ではないが、コースＣ１４での編糸Ｙ１１が、次のコースＣ１５で浮き編にしている。【００３３】  一方縦伸び抑制組織Ｓ２の方は、次のような編成になっている。ウェールＷ１２のコ−スＣ１１では、２０〜７０デシテックスのナイロン双糸からなるプレイン（平編）の編糸Ｙ１１に、２０〜７０デシテックスのナイロン双糸からなるカットボス糸Ｙ１５を部分プレーティング（部分添え糸編）して両端で切断Ｃｔ２したカットボス編ＣＢ２にするとともに、芯糸４０〜２１０デシテックスのポリウレタンに、１０〜４０デシテックスのナイロンをダブルカバリング（ＤＣＹ）した挿入糸Ｙ１２を１ウェールおきに編地の間に挿入している。そしてウェールＷ１２のコ−スＣ１２とコ−スＣ１３では、２０〜７０デシテックスのナイロン双糸からなるプレイン（平編）の編糸Ｙ１３とＹ１４を編成している。なおカットボス糸Ｙ１５は、縦伸び抑制組織Ｓ２の両端で切断Ｃｔ２している。【００３４】  またウェールＷ１３のコ−スＣ１１では、２０〜７０デシテックスのナイロン双糸からなる編糸Ｙ１１に、２０〜７０デシテックスのナイロン双糸からなるカットボス糸Ｙ１５を部分プレーティング（部分添え糸編）し、また芯糸４０〜２１０デシテックスのポリウレタンに、１０〜４０デシテックスのナイロンをダブルカバリング（ＤＣＹ）した挿入糸Ｙ１２を１ウェールおきに編地の間に挿入している。そして編糸Ｙ１１とカットボス糸Ｙ１５は、コースＣ１２とコースＣ１３では、編地の編成中にこの針を不作動位置に置いて編糸を供給せず、前の編目を保持するだけにして、この部分の編糸Ｙ１１とＹ１５を編地の裏に真直に浮かして、コースＣ１４にて編成し、２目の浮き編組織ＦＬ２にしている。本発明でいう２目の浮き編組織とは、２コース浮かして編成することである。この時、本実施例の挿入糸Ｙ１２は浮かすことなく、コースＣ１１で普通の挿入編を保っている。なお編糸Ｙ１３とＹ１４は、ＳＣＹの糸にすることもできる。またカットボス糸Ｙ１���は、先に述べたように、縦伸び抑制組織Ｓ２の両端で切断Ｃｔ２されて、Ｖ字形を形成する。【００３５】  本実施例の場合、縦伸び抑制組織Ｓ２は、カットボス編と２目の浮き編によって、伸びを極端に抑制している。
【実施例３】
【００３６】  図７は、本発明のまた別の実施例を示す縦伸び抑制組織とそのベ−ス組織の例を示す組織図である。本実施例の縦伸び抑制組織は、部分挿入編、カットボス編、１回タック編、１目浮き編の合成組織からなっている。【００３７】  図７の右半分の組織が、その縦伸び抑制組織Ｓ３であるが、左半分の組織は、そのベース組織Ｂ３の例を示している。先ずベ−ス組織Ｂ３の組織は、次のように編成している。コースＣ２１では、２０〜７０デシテックスのナイロン双糸からなるプレイン（平編）の編糸Ｙ２１と、芯糸４０〜２１０デシテックスのポリウレタンに、１０〜４０デシテックスのナイロンをダブルカバリング（ＤＣＹ）した挿入糸Ｙ２２を１ウェールおきに編地の間に部分挿入した挿入編（レイ−イン）ＲＩ３にしている。しかし、コースＣ２３とコースＣ２４では、２０〜７０デシテックスのナイロン双糸からなる編糸Ｙ２３とＹ２４によるプレイン（平編）だけの編成となっている。なお編糸Ｙ２３とＹ２４は、ＳＣＹの糸にすることもできる。【００３８】  そして縦伸び抑制組織Ｓ３は、次のような編成になっている。ウェールＷ２１のコ−スＣ２１では、２０〜７０デシテックスのナイロン双糸からなるプレイン（平編）の編糸Ｙ２１に、２０〜７０デシテックスのナイロン双糸からなるカットボス糸Ｙ２５を部分プレーティング（部分添え糸編）して両端で切断Ｃｔ３したカットボス編ＣＢ３にするとともに、芯糸４０〜２１０デシテックスのポリウレタンに、１０〜４０デシテックスのナイロンをダブルカバリング（ＤＣＹ）した挿入糸Ｙ２２を１ウェールおきに編地の間に挿入している。そして編糸Ｙ２１とカットボス糸Ｙ２５は、コースＣ２２では、編地の編成中にこの針を不作動位置に置いて編糸を供給せず、前の編目を保持するだけにして、この部分の編糸Ｙ２１とＹ２５を編地の裏に真直に浮かして編成せず、コースＣ２３にて編成し、１目の浮き編組織ＦＬ３にしている。次のコースＣ２３は、編糸Ｙ２４によるプレイン（平編）の編成である。その次のコースＣ２４は、編糸Ｙ２１とカットボス糸Ｙ２５による部分添え糸編と、挿入糸Ｙ２２による挿入編である。そしてコースＣ25は、２０〜７０デシテックスのナイロン双糸からなる編糸Ｙ23を、次のコースＣ26を編成する時に一時編目を作らないで、その次のコースＣ27を編む時に編糸Ｙ21と一緒に編目を作り、編針から編目を脱出させないで前の編目とともに保持し、同時に２つの編目をくぐって編糸を引き出し、新しい編目を作る１回タックのタック編ＴＣ３にしている。即ちコースＣ26では、編糸は編成されない。なおカットボス糸Ｙ25は、縦伸び抑制組織Ｓ３の両端で切断Ｃｔ3している。【００３９】  またウェールＷ２２のコースＣ２１では、２０〜７０デシテックスのナイロン双糸からなる編糸Ｙ21に、２０〜７０デシテックスのナイロン双糸からなるカットボス糸Ｙ25を部分プレ−ティング（部分添え糸編）し、また芯糸４０〜２１０デシテックスのポリウレタンに、１０〜４０デシテックスのナイロンをダブルカバリング（ＤＣＹ）した挿入糸Ｙ２２を１ウェールおきに編地の間に挿入している。そしてコースＣ22は、２０〜７０デシテックスのナイロン双糸からなる編糸Ｙ２３を、次のコースＣ２３を編成する時���一時編目を作らないで、その次のコースＣ２４を編む時に編糸Ｙ２４と一緒に編目を作り、編針から編目を脱出させないで前の編目とともに保持し、同時に２つの編目をくぐって編糸を引き出し、新しい編目を作る１回タックのタック編ＴＣ３にしている。即ちコースＣ２３では、編糸は編成されない。次のコースＣ２４では、２０〜７０デシテックスのナイロン双糸からなるプレイン（平編）の編糸Ｙ２１に、２０〜７０デシテックスのナイロン双糸からなるカットボス糸Ｙ25を部分プレーティング（部分添え糸編）し、また芯糸４０〜２１０デシテックスのポリウレタンに、１０〜４０デシテックスのナイロンをダブルカバリング（ＤＣＹ）した挿入糸Ｙ２２を１ウェールおきに編地の間に挿入している。その編糸Ｙ２１とカットボス糸Ｙ２５は、コースＣ２５では、編地の編成中にこの針を不作動位置に置いて編糸を供給せず、前の編目を保持するだけにして、この部分の編糸Ｙ２１とＹ２５を編地の裏に真直に浮かして編成せず、コースＣ２６にて編成し、１目の浮き編組織にしている。次のコースＣ２６は、編糸Ｙ２４によるプレイン（平編）の編成である。なお編糸Ｙ２３とＹ２４は、ＳＣＹの糸にすることもできる。またカットボス糸Ｙ２５は、先に述べたように、縦伸び抑制組織Ｓ３の両端で切断Ｃｔ３され、Ｖ字形を形成している。【００４０】  本実施例の場合、縦伸び抑制組織Ｓ３は、カットボス編とタック編と浮き編の合成組織によって、伸びを極端に抑制するようになっている。
【実施例４】
【００４１】  図８は、本発明のさらに別の実施例を示す縦伸び抑制組織とそのベース組織の例を示す組織図である。本発明の縦伸び抑制組織は、浮き編とカットボス編の合成組織からなっているが、本実施例の場合の縦伸び抑制組織は、カットボス編・３目浮き編の合成組織からなっている。【００４２】  図８の右半分の組織が、その縦伸び抑制組織Ｓ４であるが、左半分の組織は、そのベース組織Ｂ４の例を示している。先ずベ−ス組織Ｂ４の組織は、次のように編成している。コースＣ３１では、芯糸４０〜２１０デシテックスのポリウレタンに、１０〜４０デシテックスのナイロンをダブルカバリング（ＤＣＹ）した挿入糸Ｙ３２を編成し、挿入糸Ｙ３２はウェールＷ３１では編成せずに浮かしている。コースＣ３２とコースＣ３３では、２０〜７０デシテックスのナイロン双糸からなる編糸Ｙ３１とＹ３３によるプレイン（平編）編成となっている。コースＣ３４では、２０〜７０デシテックスのナイロン双糸からなる編糸Ｙ３４によるプレイン（平編）編成になっているが、ウェ−ルＷ３１のコースＣ３５では編成していない。即ち本実施例では糸Ｙ３２が、挿入編にはなっていないが、芯糸４０〜２１０デシテックスのポリウレタンに、１０〜４０デシテックスのナイロンをダブルカバリング（ＤＣＹ）した糸であるため、他の実施例と統一するよう、一応挿入糸と称することにした。【００４３】  そして縦伸び抑制組織Ｓ４の方は、次のような編成になっている。ウェールＷ３２のコースＣ３１では、芯糸４０〜２１０デシテックスのポリウレタンに、１０〜４０デシテックスのナイロンをダブルカバリング（ＤＣＹ）した挿入糸Ｙ３２を編成しいるが、挿入糸Ｙ３２はウェールＷ３３では編成せずに浮かしている。コースＣ３２では、２０〜７０デシテックスのナイロン双糸からなる編糸Ｙ３１によるプレイン（平編）に、２０〜７０デシテックスのナイロン双糸からなるカットボス糸Ｙ３５を部分プレーティング（部分添え糸編）して両端で切断Ｃｔ４したカットボス編ＣＢ４にしている。次のコースＣ３３とコースＣ３４では、２０〜７０デシテックスのナイロン双糸からなる編糸Ｙ３３とＹ３４によるプレイン（平編）編成となっている。そしてＣ３５では、再び芯糸４０〜２１０デシテックスのポリウレタンに、１０〜４０デシテックスのナイロンをダブルカバリング（ＤＣＹ）した挿入糸Ｙ32を編成しおり、この挿入糸Ｙ３２はウェールＷ３３では編成せずに浮かしている。【００４４】  次のウェールＷ３３のコースＣ３２では、２０〜７０デシテックスのナイロン双糸からなる編糸Ｙ３２に、２０〜７０デシテックスのナイロン双糸からなるカットボス糸Ｙ３５を部分プレーティング（部分添え糸編）し、そして編糸Ｙ３１とカットボス糸Ｙ３５は、コースＣ３３とコースＣ３４とコースＣ３５では、編地の編成中にこの針を不作動位置に置いて編糸を供給せず、前の編目を保持するだけにして、この部分の編糸Ｙ３１とＹ３５と挿入糸Ｙ３２を編地の裏に真直に浮かして、コースＣ３６にて編成し、３目の大きな浮き編組織にしている。なお編糸Ｙ３３とＹ３４は、ＳＣＹの糸にすることもできる。またカットボス糸Ｙ３５は、先に述べたように、縦伸び抑制組織Ｓ４の両端で切断Ｃｔ４されて��Ｖ字形を形成する。【００４５】  本実施例の場合、縦伸び抑制組織Ｓ４は、カットボス編と３目の大きな浮き編によって、伸びを極端に抑制している。
【実施例５】
【００４６】  図９は、本発明のさらにまた別の実施例を示す縦伸び抑制組織とそのベ−ス組織の例を示す組織図である。本発明の縦伸び抑制組織は、浮き編とカットボス編の合成組織からなっているが、本実施例の場合の縦伸び抑制組織は、カットボス編・１目浮き編・２回タック編の合成組織からなっている。【００４７】  図９の右半分の組織が、その縦伸び抑制組織Ｓ５であるが、左半分の組織は、そのベース組織Ｂ５の例を示している。先ずベース組織Ｂ５の組織は、次のように編成している。ウェールＷ４１では、コースＣ４１が２０〜７０デシテックスのナイロン双糸からなる編糸Ｙ４１によってタックされ、コースＣ４２が飛ばされて、コースＣ４３で２０〜７０デシテックスのナイロン双糸からなる編糸Ｙ４３と一緒に編目を作っている。次の２０〜７０デシテックスのナイロン双糸からなる編糸Ｙ４４は、コースＣ４３に平編で編成される。またウェールＷ４１のコースＣ４４には、芯糸４０〜２１０デシテックスのポリウレタンに、１０〜４０デシテックスのナイロンをダブルカバリング（ＤＣＹ）した挿入糸Ｙ４２が編成されるが、挿入糸Ｙ４２は次のウェールＷ４２では編成せずに浮かしている。そしてコースＣ４５とコースＣ４６の編糸Ｙ４１とＹ４３は、平編に編成されている。しかし本実施例でのウェールＷ４１では、上部のリピートが完全ではないが、コースＣ４７での編糸Ｙ４４は、次のコースＣ４８で１目の浮き編にしている。【００４８】  ベース組織Ｂ５のウェールＷ４２では、コースＣ４１とコースＣ４２の編糸Ｙ４１とＹ４３は、平編に編成される。コースＣ４３では、編糸Ｙ４４が次のコースＣ４４で編成されずに、１目の浮き編にしている。なおコースＣ４４では、挿入糸Ｙ４２も前述のように、編成せずに浮かしている。コースＣ４５では、編糸Ｙ４１が１回タックされ、コースＣ４６が飛ばされて、コースＣ４７で編糸Ｙ４３と一緒に編目を作っている。即ち、リピートの完全なＷ４２で示されるように、ベ−ス組織Ｂ５では、１ウェール毎に、１目の浮き編と１回のタック編が連続して設けられている。【００４９】  そして縦伸び抑制組織Ｓ５の方は、次のような編成になっている。ウェールＷ４３のコースＣ４１では、２０〜７０デシテックスのナイロン双糸からなる編糸Ｙ４１によるプレイン（平編）に、２０〜７０デシテックスのナイロン双糸からなるカットボス糸Ｙ４５を部分プレーティング（部分添え糸編）して両端で切断Ｃｔ５してカットボス編ＣＢ５にしている。しかも編糸Ｙ４１とカットボス糸Ｙ４５は、２０〜７０デシテックスのナイロン双糸からなる編糸Ｙ４３とともに、コースＣ４２とコースＣ４３では編目を作らないで、その次のコースＣ４４を編む時に編糸Ｙ４４と一緒に編目を作り、編針から編目を脱出させないで前の編目とともに保持し、同時に編目をくぐって編糸を引き出し、新しい編目を作る２回タックのタック編ＴＣ５にしている。コースＣ４４では、芯糸４０〜２１０デシテックスのポリウレタンに、１０〜４０デシテックスのナイロンをダブルカバリング（ＤＣＹ）した挿入糸Ｙ４２を編成しているが、挿入糸Ｙ４２はウェールＷ４４では編成せずに浮かしている。コースＣ４５では、編糸Ｙ４１と添え糸のカットボス糸Ｙ４５���、またコースＣ４６では、編糸Ｙ４３が、ともに平編に編成されている。そして本実施例でのウェールＷ４３では、上部のリピートが完全ではないが、コースＣ４７での編糸Ｙ４４は、次のコースＣ４８で１目の浮き編にしている。【００５０】  次のウェールＷ４４のコースＣ４１では、２０〜７０デシテックスのナイロン双糸からなる編糸Ｙ４１に、２０〜７０デシテックスのナイロン双糸からなるカットボス糸Ｙ４５を部分プレーティング（部分添え糸編）し、次のコースＣ４２では編糸Ｙ４３も、ともに平編に編成している。コースＣ４３では編糸Ｙ４４が、編地の編成中にこの針を不作動位置に置いて編糸を供給せず、前の編目を保持するだけにして、この部分の編糸を編地の裏に真直に浮かしてコースＣ４４では編成せず、コースＣ４５にて編成し、１目の浮き編組織ＦＬ５にしている。次のコースＣ４５では、編糸Ｙ４１と添え糸のカットボス糸Ｙ４５は編糸Ｙ４３とともに、コースＣ４６とコースＣ４７では編目を作らないで、その次のコースＣ４８を編む時に編糸Ｙ４４と一緒に編目を作る２回タックのタック編にしている。なお編糸Ｙ４３とＹ４４は、ＳＣＹの糸にすることもできる。またカットボス糸Ｙ４５は、先に述べたように、縦伸び抑制組織Ｓ５の両端で切断Ｃｔ５されて、Ｖ字形を形成する。【００５１】  本実施例の場合、縦伸び抑制組織Ｓ４は、カットボス編と２回の１目の浮き編とタック編との合成組織によって、伸びを極端に抑制している。
【実施例６】
【００５２】  図１０から図１５は、ＪＩＳ．Ｌ１０１８のグラブ法による引張強伸度試験のグラフであり、５０ｍｍ／ｍｉｎの速度で引っ張った結果である。グラブ法は、編地を中間部で把持して引っ張るため、実際の着用時と同等の条件が再現できる。図１０は、実施例１のベ−ス組織で編成した編地の強度と伸度の破断時までを示すグラフである。図１１は、実施例１の縦伸び抑制組織で編成した編地の強度と伸度の破断時までを示すグラフである。図１２は、実施例４のベ−ス組織で編成した編地の強度と伸度の破断時までを示すグラフである。図１３は、実施例４の縦伸び抑制組織で編成した編地の強度と伸度の破断時までを示すグラフである。そして図１４は、図１０の初期段階を拡大したグラフである。また図１５は、図１１の初期段階を拡大したグラフである。【００５３】  各グラフの縦軸は強度（Ｎ）を、また横軸は伸度（％）を示している。図１０のカーブＧ１は、編地を横方向に引張った結果であり、カーブＧ２は、編地を縦方向に引張った結果である。また図１１のカーブＧ３は、編地を横方向に引張った結果であり、カーブＧ４は、編地を縦方向に引張った結果である。即ち、図１０のベ−ス組織では、Ｇ１の横方向のカーブは上にあり、Ｇ２の縦方向のカーブは下になって、横方向より伸びやすかったことを示している。これに対し、図１１の縦伸び抑制組織では、Ｇ３の横方向のカーブが下になって、Ｇ１のカ−ブと傾斜が同等である。これに対し、Ｇ４の縦方向のカーブは、極端に上にあって、伸びを抑制していることが分かる。【００５４】  同様に、図１２のカーブＧ５は、編地を横方向に引張った結果であり、カーブＧ６は、編地を縦方向に引張った結果である。また図１３のカーブＧ７は、編地を横方向に引張った結果であり、カーブＧ８は、編地を縦方向に引張った結果である。即ち、図１２のベース組織では、Ｇ５の横方向のカーブは上にあり、Ｇ６の縦方向のカーブは下になって、横方向より伸びやすかったことを示している。これに対し、図１３の縦伸び抑制組織では、Ｇ７の横方向のカーブが下になって、Ｇ５のカーブと傾斜が同等である。これに対し、Ｇ８の縦方向のカーブは、極端に上にあって、伸びを抑制していることが分かる。【００５５】  次の表１は、以上の結果の破断時における強度と伸度の結果を纏めたものである。【００５６】
【表１】
0005005469.tif 000002
【００５７】  表１から、タック編みの実施例１の方が、浮き編みの実施例４より、強固な組織になっていることが分かる。そして両者とも、ベース組織の伸度が縦方向と横方向で同等になっている。これに対し縦伸び抑制組織では、縦方向の伸度が、横方向の伸度より、極端に低くなっている。【００５８】  しかし、本発明の膨ら脛サポータにとっては、破断時の強伸度は問題でなく、通常着用時の伸縮に対して、どのような挙動を呈するかが問題となる。先の図４は、歩行時における膨ら脛部位の変化を示している。成人男子の一例について、歩行時に膨ら脛部位が、一番細い状態と、一番膨らんだ状態の径を測定してみた。なおその際、実施例１のベ−ス組織のみで編成した、Ｖ字形を有さないレガードを着用して測定した。その結果、膨ら脛部位の径は、一番細い状態が３６ｃｍ径、一番膨らんだ状態の径が３７．５ｃｍであった。従ってその差は、約４％であった。【００５９】  図１４のカ−ブＧ１´は、図１０と同様に編地を横方向に引張った結果の初期段階であり、カ−ブＧ２´は、図１１と同様に編地を縦方向に引張った結果の初期段階を示している。この場合、横方向Ｇ１´の伸度が先の４％のポイント位置での強度Ｐ１は、２Ｎである。この２Ｎに対する、縦方向Ｇ２´の伸度Ｐ２は、１４％のポイント位置になっている。【００６０】  以上のベース組織の図１４に対し、縦伸び抑制組織の図１５は、カーブＧ３´が図１０と同様に編地を横方向に引張った結果の初期段階であり、カーブＧ４´が図１１と同様に編地を縦方向に引張った結果の初期段階を示している。この場合、膨ら脛部位の最大の内圧が、仮に２Ｎであるとすると、その時の縦伸び抑制組織の横方向Ｇ３´の伸度のポイントＰ３は、２６％にまで達しうる。これに対して、強度２Ｎに対する縦方向Ｇ４´の伸度のポイントＰ４は、８％に抑制され、縦伸び抑制の効果を果たしている。【００６１】  次の表２は、以上の結果と拡大図を省略した実施例４の結果を含め、その中間域の強度１Ｎでの伸度％を合わせて表示したものである。【００６２】
【表２】
0005005469.tif 000003
【００６３】表２の結果から、縦伸び抑制組織はベ−ス組織とは逆に、縦方向の伸度が横方向の伸度より抑制されており、特に浮き編の実施例４より、タック編の実施例１の効果が顕著になっている。
【実施例７】
【００６４】  次の表３は、長い階段で１０分間ランニングを行い、ランニング終了後に足の疲労度を比較したものである。５は全く疲労を感じなかったもの、３は若干疲労を感じなかったもの、１は疲労を感じたものである。比較したのは、未着用と、従来のサポータ着用（従来品）と、実施例１のレガ−ト着用（実施例１）と、実施例４のレガ−ト着用（実施例４）との４種である。【００６５】
【表３】
0005005469.tif 000004
【００６６】  表３の結果から、本発明品の膨ら脛用サポータを着用すると、足の疲労が軽減されることが分かる。
【産業上の利用可能性】
【００６７】  本発明の膨ら脛用サポータは、下腿筋肉の疲労軽減や浮腫解消、またストレツチ効果やマッサージ効果を目的として、ガードル・ソックス・ストッキング・タイツ類に、広く利用しうるものである。
【図面の簡単な説明】
【００６８】
【図１】本発明の膨ら脛用サポータを着用した人体の下腿示し、（イ）は背面図、（ロ）は側面図である。
【図２】本発明のレガードの例で、（イ）は背面図、（ロ）は側面図、（ハ）は着用した状態の背面からみた斜視図である。
【図３】本発明の靴下の例で、（イ）は背面図、（ロ）は側面図である。
【図４】歩行時の人体の下腿示し、（イ）は踵を地につけた時の側面図、（ロ）は足底をつけた時の側面図、（ハ）は  爪先で蹴り出した時の側面図である。
【図５】本発明の一実施例を示す、縦伸び抑制組織が挿入編・カットボス編・１回タック編の合成組織からなる例とそのベース組織の例を示す組織図である。
【図６】本発明の別の実施例を示す縦伸び抑制組織とそのベ−ス組織の例を示す組織図である。
【図７】本発明のまた別の実施例を示す縦伸び抑制組織とそのベ−ス組織の例を示す組織図である。
【図８】本発明のさらに別の実施例を示す縦伸び抑制組織とそのベ−ス組織の例を示す組織図である。
【図９】本発明のさらにまた別の実施例を示す縦伸び抑制組織とそのベ−ス組織の例を示す組織図である。
【図１０】実施例１のベ−ス組織で編成した編地の強度と伸度の破断時までを示すグラフである。
【図１１】実施例１の縦伸び抑制組織で編成した編地の強度と伸度の破断時までを示すグラフである。
【図１２】実施例４のベ−ス組織で編成した編地の強度と伸度の破断時までを示すグラフである。
【図１３】実施例４の縦伸び抑制組織で編成した編地の強度と伸度の破断時までを示すグラフである。
【図１４】図１０の初期段階を拡大したグラフである。
【図１５】図１１の初期段階を拡大したグラフである。
【符号の説明】
【００６９】
１，１１，２１                                      膨ら脛用サポータ
２                                                  人体の下腿
３，１３，２３，３３，４３，５３                      膨ら脛部位
４，３４，５４                                      アキレス腱
５                                                下腿三頭筋
６                                 腓腹筋
７                                 内側頭
８                                                  外側頭
Ｂ１，Ｂ２，Ｂ３，Ｂ４，Ｂ５                        ベース組織
Ｃ1，Ｃ2，Ｃ3，Ｃ11，Ｃ12，Ｃ13，Ｃ14          コース
Ｃ15，Ｃ21，Ｃ22，Ｃ23，Ｃ24，Ｃ25            コース
Ｃ26，Ｃ27，Ｃ31，Ｃ32，Ｃ33，Ｃ34            コース
Ｃ35，Ｃ36，Ｃ41，Ｃ42，Ｃ43，Ｃ44            コース
Ｃ45，Ｃ46，Ｃ47，Ｃ48                          コース
ＣＢ１，ＣＢ２，ＣＢ３，ＣＢ４，ＣＢ５              カットボス編
Ｃｔ1，Ｃｔ2，Ｃｔ3，Ｃｔ4，Ｃｔ5                    カットボス糸の切断
ＦＬ２，ＦＬ３，ＦＬ４，ＦＬ５                        浮き編
Ｇ１，Ｇ３，Ｇ５，Ｇ７，Ｇ１´，Ｇ３´                横方向の強度と伸度
Ｇ２，Ｇ４，Ｇ６，Ｇ８，Ｇ２´，Ｇ４´                縦方向の強度と伸度
Ｐ1，Ｐ2，Ｐ3，Ｐ4                                  強度と伸度のポイント
ＲＩ１，ＲＩ２，ＲＩ３                                  挿入編
Ｓ，Ｓ´，Ｓ１，Ｓ２，Ｓ３，Ｓ４，Ｓ５                縦伸び抑制組織
Ｙ1，Ｙ3，Ｙ11，Ｙ13，Ｙ14，Ｙ21，Ｙ23        編糸
Ｙ24，Ｙ31，Ｙ33，Ｙ34，Ｙ41，Ｙ43，Ｙ44    編糸
Ｙ2，Ｙ4，Ｙ12，Ｙ22，Ｙ32，Ｙ42              挿入糸
Ｙ5，Ｙ15，Ｙ25，Ｙ35，Ｙ45                    カットボス糸
Ｗ1，Ｗ2，Ｗ11，Ｗ12，Ｗ13，Ｗ21，Ｗ22    ウェール
Ｗ31，Ｗ32，Ｗ33，Ｗ41，Ｗ42，Ｗ43，Ｗ44  ウェール
【図１】
0005005469.tif 000005
【図２】
0005005469.tif 000006
【図３】
0005005469.tif 000007
【図４】
0005005469.tif 000008
【図５】
0005005469.tif 000009
【図６】
0005005469.tif 000010
【図７】
0005005469.tif 000011
【図８】
0005005469.tif 000012
【図９】
0005005469.tif 000013
【図１０】
0005005469.tif 000014
【図１１】
0005005469.tif 000015
【図１２】
0005005469.tif 000016
【図１３】
0005005469.tif 000017
【図１４】
0005005469.tif 000018
【図１５】
0005005469.tif 000019